(57)【要約】【目的】  本発明は、コンタクト数が増加しても、部分的に防水性が低下するのを抑制し得るコネクタを提供する。【構成】  コネクタＣ１は、ハウジング１００ａ、ホルダー３００ａ、シール部４００ａ及び複数のコンタクト２００ａを備えている。ハウジング１００ａは、筒状のハウジングボディ１１０ａ、ハウジングボディ１１０ａ内に設けられた閉塞部１２０ａ及び閉塞部１２０ａに設けられた複数の接続孔１２１ａを有する。シール部４００ａは、ハウジングボディ１１０ａ内で閉塞部１２０ａとホルダー３００ａとに挟持され、圧縮された弾性体である。シール部４００ａは接続孔１２１ａに連通した複数の保持孔４１０ａを有する。保持孔４１０の内形が接続孔１２１ａの内形よりも小さい。コンタクト２００ａの突出部２２０ａは、ホルダー３００ａから突出し、接続孔１２１ａ及び保持孔４１０ａに挿通されている。【選択図】      図４Ｃ
2014127248.tif 000002
【特許請求の範囲】
【請求項１】
筒状のハウジングボディ、前記ハウジングボディ内を塞ぐように当該ハウジングボディ内に設けられた閉塞部および前記閉塞部を前記ハウジングボディの軸方向である第１方向に貫通した複数の接続孔を有するハウジングと、
前記ハウジングボディ内に収容された絶縁性を有するホルダーと、
前記ハウジングボディ内に収容され且つ前記閉塞部と前記ホルダーとに挟持され、圧縮された弾性体であるシール部と、
前記ホルダーに保持された保持部および当該ホルダーから前記第１方向に突出した突出部を有する複数のコンタクトとを備えており、
前記シール部は、当該シール部を前記第１方向に貫通し且つ前記閉塞部の前記接続孔に連通した保持孔を有しており、
前記保持孔の内形が前記接続孔の内形よりも小さくなっており、
前記突出部が、前記ハウジングの前記接続孔及び前記シール部の前記保持孔に挿通されているコネクタ。
【請求項２】
請求項１記載のコネクタにおいて、
前記シール部の前記保持孔の内形が、当該シール部が圧縮されることによって縮小しているコネクタ。
【請求項３】
請求項１〜２の何れかに記載のコネクタにおいて、
前記シール部は、前記保持孔の内周面に全周にわたって設けられた第１突脈を更に有しているコネクタ。
【請求項４】
請求項１〜３の何れかに記載のコネクタにおいて、
前記シール部の外形が、前記ハウジングボディの内形と略同じ又は前記ハウジングボディの内形より若干大きいコネクタ。
【請求項５】
請求項４記載のコネクタにおいて、
前記シール部は、当該シール部の外周面に全周にわたって設けられた第２突脈を更に有しているコネクタ。
【請求項６】
請求項１〜５の何れかに記載のコネクタと、
前記コネクタに接続される相手側コネクタとを具備しており、
前記相手側コネクタは、ハウジングボディ、当該相手側コネクタの前記ハウジングボディから前記第１方向に延びた筒状の複数の接続部および前記接続部内に連通するように当該相手側コネクタの前記ハウジングボディに設けられた複数の収容孔を有するハウジングと、
前記収容孔内に収容された複数のコンタクトとを備えており、
前記コネクタの前記コンタクトが前記相手側コネクタの前記接続部に挿入され、当該相手側コネクタの前記コンタクトに接触すると共に、前記相手側コネクタの前記接続部が前記コネクタの前記ハウジングの前記接続孔及び前記シール部の前記保持孔に挿入され、当該保持孔に弾性的に保持されたコネクタの接続構造。
【請求項７】
請求項６記載のコネクタの接続構造において、
前記相手側コネクタの前記ハウジングボディは、前記収容孔が設けられたブロックと、
前記ブロックに連接された筒状であって、その内部空間が前記収容孔に連通した収容部とを有しており、
前記相手側コネクタは、前記ブロックに当接するように前記収容部内に収容されたスペーサと、
前記収容部を塞ぐように当該収容部内に配置されたカバーと、
前記スペーサと前記カバーとに挟持された弾性体であるシール部とを更に備えているコネクタの接続構造。
【請求項８】
請求項７記載のコネクタの接続構造において、
前記収容孔は、前記相手側コネクタの前記ブロックを前記第１方向に貫通しており、
前記相手側コネクタの前記スペーサは、当該スペーサを前記第１方向に貫通し且つ前記収容孔に連通した複数の貫通孔を有しており、
前記相手側コネクタの前記シール部は、当該シール部を前記第１方向に貫通し且つ前記貫通孔に連通した複数の保持孔を有しており、
前記相手側コネクタの前記カバーは、当該カバーを前記第１方向に貫通し且つ当該相手側コネクタの前記保持孔に連通した複数の挿入孔を有しており、
前記相手側コネクタの前記保持孔の内形は、当該相手側コネクタの前記挿入孔及び前記貫通孔の内形よりも小さく、
前記相手側コネクタは、当該相手側コネクタの前記挿入孔、前記保持孔及び前記貫通孔に挿入され、当該相手側コネクタの前記コンタクトに接続され且つ前記保持孔に弾性的に保持された複数のケーブルを更に備えているコネクタの接続構造。
【請求項９】
請求項６記載のコネクタの接続構造において、
前記相手側コネクタの前記ハウジングボディは、前記収容孔が設けられたブロックと、
前記ブロックに連接された筒状であって、その内部空間が前記収容孔に連通した収容部とを有しており、
前記相手側コネクタは、
前記収容部を塞ぐように当該収容部内に配置されたカバーと、
前記ブロックと前記カバーとに挟持された弾性体であるシール部とを更に備えているコネクタの接続構造。
【請求項１０】
請求項９記載のコネクタの接続構造において、
前記収容孔は、前記相手側コネクタの前記ブロックを前記第１方向に貫通しており、
前記相手側コネクタの前記シール部は、当該シール部を前記第１方向に貫通し且つ前記収容孔に連通した複数の保持孔を有しており、
前記相手側コネクタの前記カバーは、当該カバーを前記第１方向に貫通し且つ当該相手側コネクタの前記保持孔に連通した複数の挿入孔を有しており、
前記相手側コネクタの前記保持孔の内形は、当該相手側コネクタの前記挿入孔の内形よりも小さく、
前記相手側コネクタは、当該相手側コネクタの前記保持孔及び前記挿入孔に挿入され、当該相手側コネクタの前記コンタクトに接続され且つ前記保持孔に弾性的に保持された複数のケーブルを更に備えているコネクタの接続構造。
【請求項１１】
請求項８又は１０記載のコネクタの接続構造において、
前記相手側コネクタの前記シール部は、前記相手側コネクタの前記保持孔の内周面に全周にわたって設けられた第１突脈を更に有しているコネクタ。
【請求項１２】
請求項６〜１１の何れかに記載のコネクタにおいて、
前記相手側コネクタの前記シール部の外形が、前記相手側コネクタの前記ハウジングボディの内形と略同じ又は前記相手側コネクタの前記ハウジングボディの内形より若干大きいコネクタ。
【請求項１３】
請求項１２記載のコネクタにおいて、
前記相手側コネクタの前記シール部は、当該シール部の外周面に全周にわたって設けられた第２突脈を更に有しているコネクタ。
【発明の詳細な説明】
【技術分野】
【０００１】
本発明は、コネクタ及びコネクタの接続構造に関する。
【背景技術】
【０００２】
この種のコネクタの接続構造としては特許文献１に記載されたものがある。この接続構造は、雌コネクタと、雄コネクタと、シール部材とを備えている。雌コネクタは、雌ハウジングと、複数の雌コンタクトとを有している。雌ハウジングには、複数の孔が設けられている。雌コンタクトは孔内に配置されている。雄コネクタは、雄ハウジングと、複数の雄コンタクトとを有している。雄ハウジングには、第１方向に凸の複数の突起が設けられている。雄コンタクトの先端部は突起から第１方向に突出している。シール部材は、プレートと、複数の第１、第２接続部を有している。第１接続部はプレートの第１面に設けられた底部を有する筒である。底部にはスリットが設けられている。第２接続部は、第１接続部内に通じるようにプレートの第２面に設けられた筒である。
【０００３】
雄コネクタと雌コネクタとの間にシール部材を挟持させるように、雄コネクタを雌コネクタに接続させると、雄ハウジングの突起がシール部材の第２接続部及び第１接続部に嵌合し、シール部材の第１接続部が雌ハウジングの孔に嵌合する。これにより、第１、第２接続部が雄ハウジングと雌ハウジングとの間で圧縮され、雄コネクタと雌コネクタとの間の防水性が向上している。このとき、雄コンタクトがシール部材の第２接続部、第１接続部及びスリット及び雌ハウジングの孔に挿入され、雌コンタクトに接触する。これにより、雄コネクタ及び雌コネクタ間の電気的な接続がなされる。
【先行技術文献】
【特許文献】
【０００４】
【特許文献１】実開平０２−５８８８号公報
【発明の概要】
【発明が解決しようとする課題】
【０００５】
しかし、雄コンタクト及び雌コンタクトの数が増加するのに伴って、シール部材の第１、第２接続部、雄ハウジングの突起及び雌ハウジングの孔の数が増加した場合、雄コネクタ及び雌コネクタの接続状態によって、シール部材の第１、第２接続部のうちの一部を圧縮する力が不足し、雄コネクタと雌コネクタとの間の防水性が部分的に低下する可能性があった。
【０００６】
本発明は、上記事情に鑑みて創案されたものであって、その目的とするところは、コンタクト数が増加しても、部分的に防水性が低下するのを抑制することができるコネクタ及びコネクタの接続構造を提供することにある。
【課題を解決するための手段】
【０００７】
上記課題を解決するために、本発明のコネクタは、ハウジングと、ホルダーと、複数のコンタクトと、シール部とを備えている。前記ハウジングは、筒状のハウジングボディと、閉塞部と、複数の接続孔とを有する。前記閉塞部は、前記ハウジングボディ内を塞ぐように当該ハウジングボディ内に設けられている。前記接続孔は、前記閉塞部を第１方向に貫通している。前記第１方向は前記ハウジングボディの軸方向である。前記ホルダーは、前記ハウジングボディ内に収容されており且つ絶縁性を有している。前記シール部は、前記ハウジングボディ内に収容され且つ前記閉塞部と前記ホルダーとに挟持され、圧縮された弾性体である。前記シール部は、当該シール部を前記第１方向に貫通し且つ前記閉塞部の前記接続孔に連通した保持孔を有している。前記保持孔の内形が前記接続孔の内形よりも小さい。前記コンタクトは、保持部と、突出部とを有している。前記保持部は、前記ホルダーに保持されている。前記突出部は、前記ホルダーから前記第１方向に突出し、前記ハウジングの前記接続孔及び前記シール部の前記保持孔に挿通されている。
【０００８】
このような態様のコネクタは、シール部が閉塞部とホルダーとに圧縮された弾性体である。このシール部の保持孔の内形は閉塞部の接続孔の内形よりも小さい。このため、コネクタに相手側コネクタが接続されると、相手側コネクタの筒状の接続部が、コネクタのハウジングの接続孔及びシール部の保持孔に挿入され、当該保持孔に弾性的に保持されると共に、コネクタのコンタクトが相手側コネクタの接続部内に挿入され、当該相手側コネクタのコンタクトに接触する。このようにコネクタは、シール部の保持孔が相手側コネクタの接続部の外周面を個別に弾性的に保持する構成となっているので、コンタクトの本数が増加したとしても、接続状態におけるコネクタと相手側コネクタとの間の防水性が部分的に低下するのを抑制することができる。
【０００９】
前記シール部の前記保持孔の内形が、当該シール部が圧縮されることによって縮小する構成とすることが可能である。
【００１０】
このような態様のコネクタによる場合、保持孔の相手側コネクタの接続部に対する密着性を向上させることができる。よって、接続状態におけるコネクタと相手側コネクタとの間の防水性が向上する。
【００１１】
前記シール部は、前記保持孔の内周面に全周にわたって設けられた第１突脈を更に有する構成とすることが可能である。
【００１２】
このような態様のコネクタによる場合、相手側コネクタの接続部が保持孔に挿入されるときに、接続部が当該保持孔の第１突脈上を摺動し、当該保持孔の第１突脈に弾性的に保持される。よって、相手側コネクタ接続部が保持孔に挿入されるときに、当該保持孔の内周面上を摺動する場合に比べて、シール部の接続部に対する摩擦係数が小さくなるので、接続部を保持孔に挿入し易くなる。
【００１３】
前記シール部の外形が、前記ハウジングボディの内形と略同じ又は前記ハウジングボディの内形より若干大きい構成とすることが可能である。
【００１４】
このような態様のコネクタによる場合、シール部がハウジングボディ内に嵌合するので、コネクタの防水性を向上させることができる。
【００１５】
前記シール部は、当該シール部の外周面に全周にわたって設けられた第２突脈を更に有する構成とすることが可能である。
【００１６】
このような態様のコネクタによる場合、シール部をハウジングボディ内に嵌合させるときに、シール部の第２突脈がハウジングボディの内周面上を摺動する。よって、シール部をハウジングボディ内に嵌合させるときに、シール部の外周面がハウジングボディの内周面上を摺動する場合に比べて、シール部のハウジングボディに対する摩擦係数が小さくなるので、シール部をハウジングボディ内に嵌合させやすくなる。
【００１７】
本発明のコネクタの接続構造は、上述した何れかの態様のコネクタと、前記コネクタに接続される相手側コネクタとを具備している。前記相手側コネクタは、ハウジングと、複数のコンタクトとを備えている。前記相手側コネクタの前記ハウジングは、ハウジングボディと、複数の接続部と、複数の収容孔とを有している。前記接続部は、前記相手側コネクタの前記ハウジングボディから前記第１方向に延びた筒状である。前記収容孔は、前記接続部内に連通するように当該相手側コネクタの前記ハウジングボディに設けられている。前記相手側コネクタの前記コンタクトは、前記収容孔内に収容されている。前記コネクタの前記コンタクトが前記相手側コネクタの前記接続部に挿入され、当該相手側コネクタの前記コンタクトに接触すると共に、前記相手側コネクタの前記接続部が前記コネクタの前記ハウジングの前記接続孔及び前記シール部の前記保持孔に挿入され、当該保持孔に弾性的に保持されている。
【００１８】
このような態様のコネクタの接続構造による場合、シール部の保持孔が、相手側コネクタの接続部の外周面を個別に弾性的に保持するので、コンタクトの本数が増加したとしても、接続状態におけるコネクタと相手側コネクタとの間の防水性が部分的に低下するのを抑制することができる。
【００１９】
前記相手側コネクタの前記ハウジングボディは、ブロックと、収容部とを有する構成とすることが可能である。前記ブロックには、前記収容孔が設けられた構成とすることが可能である。前記収容部は、前記ブロックに連接された筒状であって、その内部空間が前記収容孔に連通した構成とすることが可能である。前記相手側コネクタは、スペーサと、カバーと、シール部とを更に備えた構成とすることが可能である。前記スペーサは、前記ブロックに当接するように前記収容部内に収容された構成とすることが可能である。前記カバーは、前記収容部を塞ぐように当該収容部内に配置された構成とすることが可能である。前記相手側コネクタの前記シール部は、前記スペーサと前記カバーとに挟持された弾性体とすることが可能である。
【００２０】
このような態様のコネクタの接続構造による場合、スペーサとカバーとの間にシール部が挟持されているので、相手側コネクタの防水性が向上する。
【００２１】
前記収容孔は、前記相手側コネクタの前記ブロックを前記第１方向に貫通した構成とすることが可能である。前記相手側コネクタの前記スペーサは、当該スペーサを前記第１方向に貫通し且つ前記収容孔に連通した複数の貫通孔を有した構成とすることが可能である。前記相手側コネクタの前記シール部は、当該シール部を前記第１方向に貫通し且つ前記貫通孔に連通した複数の保持孔を有した構成とすることが可能である。前記相手側コネクタの前記カバーは、当該カバーを前記第１方向に貫通し且つ当該相手側コネクタの前記保持孔に連通した複数の挿入孔を有した構成とすることが可能である。前記相手側コネクタの前記保持孔の内形は、当該相手側コネクタの前記挿入孔及び前記貫通孔の内形よりも小さい。前記相手側コネクタは、当該相手側コネクタの前記挿入孔、前記保持孔及び前記貫通孔に挿入され、当該相手側コネクタの前記コンタクトに接続され且つ前記保持孔に弾性的に保持された複数のケーブルを更に備えた構成とすることが可能である。
【００２２】
このような態様のコネクタの接続構造による場合、ケーブルが保持孔に弾性的に保持されているので、相手側コネクタの防水性が向上する。
【００２３】
前記スペーサは省略可能である。この場合、前記相手側コネクタの前記シール部は、前記ブロックと前記カバーとに挟持された弾性体とすることが可能である。
【００２４】
このような態様のコネクタの接続構造による場合、ブロックとカバーとの間にシール部が挟持されているので、相手側コネクタの防水性が向上する。
【００２５】
前記スペーサが省略される場合、前記収容孔は、前記相手側コネクタの前記ブロックを前記第１方向に貫通した構成とすることが可能である。前記相手側コネクタの前記シール部は、当該シール部を前記第１方向に貫通し且つ前記収容孔に連通した複数の保持孔を有した構成とすることが可能である。前記相手側コネクタの前記カバーは、当該カバーを前記第１方向に貫通し且つ当該相手側コネクタの前記保持孔に連通した複数の挿入孔を有した構成とすることが可能である。前記相手側コネクタの前記保持孔の内形は、当該相手側コネクタの前記挿入孔の内形よりも小さい。前記相手側コネクタは、当該相手側コネクタの前記保持孔及び前記挿入孔に挿入され、当該相手側コネクタの前記コンタクトに接続され且つ前記保持孔に弾性的に保持された複数のケーブルを更に備えた構成とすることが可能である。
【００２６】
このような態様のコネクタの接続構造による場合、ケーブルが保持孔に弾性的に保持されているので、相手側コネクタの防水性が向上する。
【００２７】
前記相手側コネクタの前記シール部は、前記相手側コネクタの前記保持孔の内周面に全周にわたって設けられた第１突脈を更に有した構成とすることが可能である。
【００２８】
このような態様のコネクタの接続構造による場合、ケーブルが相手側コネクタの保持孔に挿入されるときに、ケーブルが当該保持孔の第１突脈上を摺動し、当該保持孔の第１突脈に弾性的に保持される。よって、ケーブルが保持孔に挿入されるときに、当該保持孔の内周面上を摺動する場合に比べて、シール部のケーブルに対する摩擦係数が小さくなるので、ケーブルを保持孔に挿入し易くなる。
【００２９】
前記相手側コネクタの前記シール部の外形が、前記相手側コネクタの前記ハウジングボディの内形と略同じ又は前記相手側コネクタの前記ハウジングボディの内形より若干大きい構成とすることが可能である。
【００３０】
このような態様のコネクタの接続構造による場合、相手側コネクタのシール部が相手側コネクタのハウジングボディ内に嵌合するので、相手側コネクタの防水性を更に向上させることができる。
【００３１】
前記相手側コネクタの前記シール部は、当該シール部の外周面に全周にわたって設けられた第２突脈を更に有した構成とすることが可能である。
【００３２】
このような態様のコネクタの接続構造による場合、相手側コネクタのシール部を相手側コネクタのハウジングボディ内に嵌合させるときに、シール部の第２突脈がハウジングボディの内周面上を摺動する。よって、シール部をハウジングボディ内に嵌合させるときに、シール部の外周面がハウジングボディの内周面上を摺動する場合に比べて、シール部のハウジングボディに対する摩擦係数が小さくなるので、相手側コネクタのシール部を相手側コネクタのハウジングボディ内に嵌合させ易くなる。
【図面の簡単な説明】
【００３３】
【図１】本発明の実施例に係るコネクタの接続構造の斜視図であって、前記コネクタと前記相手側コネクタとが接続した状態を示す図である。
【図２】前記接続構造の図１中の２−２断面図である。
【図３Ａ】本発明の実施例に係るコネクタの正面、平面及び右側面から表した斜視図である。
【図３Ｂ】前記コネクタの正面、底面及び左側面から表した斜視図である。
【図３Ｃ】前記コネクタの背面、平面及び左側面から表した斜視図である。
【図３Ｄ】前記コネクタの背面、底面及び右側面から表した斜視図である。
【図４Ａ】前記コネクタの図３Ａ中の４Ａ−４Ａ断面図である。
【図４Ｂ】前記コネクタの図３Ａ中の４Ｂ−４Ｂ断面図である。
【図４Ｃ】前記コネクタの図３Ａ中の４Ｃ−４Ｃ断面図である。
【図５Ａ】前記コネクタの正面、平面及び右側面から表した分解斜視図である。
【図５Ｂ】前記コネクタの背面、底面及び右側面から表した分解斜視図である。
【図６Ａ】本発明の実施例に係る相手側コネクタの正面、平面及び右側面から表した斜視図である。
【図６Ｂ】前記相手側コネクタの正面、底面及び左側面から表した斜視図である。
【図６Ｃ】前記相手側コネクタの背面、平面及び左側面から表した斜視図である。
【図６Ｄ】前記相手側コネクタの背面、底面及び右側面から表した斜視図である。
【図７Ａ】前記相手側コネクタの図６Ａ中の７Ａ−７Ａ断面図である。
【図７Ｂ】前記相手側コネクタの図６Ａ中の７Ｂ−７Ｂ断面図である。
【図７Ｃ】前記相手側コネクタの図６Ａ中の７Ｃ−７Ｃ断面図である。
【図８Ａ】前記相手側コネクタの正面、平面及び右側面から表した分解斜視図である。
【図８Ｂ】前記相手側コネクタの背面、底面及び右側面から表した分解斜視図である。
【発明を実施するための形態】
【００３４】
以下、以下、本発明の実施例に係るコネクタの接続構造Ｃについて図１〜図８Ｂを参照しつつ説明する。接続構造Ｃは、コネクタＣ１と、相手側コネクタＣ２とを備えている。なお、図２、図４Ａ〜図４Ｃ及び図７Ａ〜図７Ｃに示す第１方向Ｙは、相手側コネクタＣ２をコネクタＣ１に接続する接続方向と、コネクタＣ１及び相手側コネクタＣ２の奥行き方向とに相当している。図４Ａ、図４Ｂ、図７Ａ及び図７Ｂに示す第２方向ＺはコネクタＣ１及び相手側コネクタＣ２の高さ方向に相当している。図４Ｃ及び図７Ｃに示す第３方向Ｘは、コネクタＣ１及び相手側コネクタＣ２の幅方向に相当している。第２方向Ｚは第１方向Ｙに直角に交差している。第３方向Ｘは第１方向Ｙ及び第２方向Ｚに直角に交差している。
【００３５】
まず、コネクタＣ１について図３Ａ〜図５Ｂを参照しつつ説明する。コネクタＣ１は図示しない電子機器の基板に実装可能なソケットである。コネクタＣ１は、ハウジング１００ａと、複数のコンタクト２００ａと、ホルダー３００ａと、シール部４００ａと、位置決め板５００ａとを備えている。以下、コネクタＣ１の各構成要件について詳しく説明する。
【００３６】
ハウジング１００ａは絶縁樹脂で構成されている。ハウジング１００ａは、図３Ａ〜図５Ｂに示すように、ハウジングボディ１１０ａと、閉塞部１２０ａと、一対の保持壁１３０ａと、一対の係合凸部１４０ａとを有している。ハウジングボディ１１０ａは絶縁樹脂製の筒である。このハウジングボディ１１０ａの第２方向Ｚの一端部（天板）の外面の第１方向Ｙの一方側の部分には一対の係合爪１１１ａが設けられている。ハウジングボディ１１０ａの第２方向Ｚの他端部（底板）の外面には、一対のガイド凸部１１２ａが設けられている。ハウジングボディ１１０ａの第３方向Ｘの一端部及び他端部（一対の側壁）の第１方向Ｙの他方側の部分には、当該側壁を第３方向Ｘに貫通した係合孔１１３ａが設けられている。ハウジングボディ１１０ｂの外面の第１方向Ｙの他方側の部分には、略環状のフレーム１１４ａが設けられている。なお、第１方向Ｙはハウジングボディ１１０ａの軸方向にも相当している。
【００３７】
閉塞部１２０ａは、図３Ａ、図３Ｂ及び図４Ａ〜図５Ｂに示すように、ハウジングボディ１１０ａ内を塞ぐように当該ハウジングボディ１１０ａ内に設けられた絶縁樹脂製の板である。閉塞部１２０ａは、ハウジングボディ１１０ａの内部空間を第１方向Ｙの一方側の前側空間Ｓ１と第１方向Ｙの他方側の後側空間Ｓ２とに区切っている。閉塞部１２０ａには、複数の接続孔１２１ａが設けられている。接続孔１２１ａは、閉塞部１２０ａを第１方向Ｙに貫通している。接続孔１２１ａは複数列で千鳥配置されている。閉塞部１２０ａの接続孔１２１ａの第１方向Ｙの一方側の部分の内周面には、Ｃ面（chamfer面）が設けられている。Ｃ面の内径は、第１方向Ｙの一方側に漸次拡径している。Ｃ面によって、相手側コネクタＣ２の後述する接続部１２０ｂが接続孔１２１ａ内に案内可能となっている。
【００３８】
保持壁１３０ａは、図３Ａ〜図５Ｂに示すように、ハウジングボディ１１０ａの第３方向Ｘの一端部及び他端部（一対の側壁）に連接され且つ第１方向Ｙの他端側に延びた絶縁樹脂製の板である。保持壁１３０ａの第２方向Ｚの寸法は、ハウジングボディ１１０ａの第２方向Ｚの寸法よりも大きい。保持壁１３０ａは、ハウジングボディ１１０ａよりも第２方向Ｚの他方側に延びている。保持壁１３０ａの内面には、一対のガイド凹部１３１ａが設けられている。ガイド凹部１３１ａは、図４Ａ及び図４Ｂに示すように、保持壁１３０ａの内面の第１方向Ｙの他端からハウジングボディ１１０ａの係合孔１１３ａにかけて第１方向Ｙに延びている。すなわち、ガイド凹部１３１ａは、係合孔１１３ａに連通している。保持壁１３０ａの内面の第２方向Ｚの他端部（下端部）には、一対の係合爪１３２ａが設けられている。保持壁１３０ａの外面には、第３方向Ｘに延びた突起１３３ａが設けられている。突起１３３ａには、係合凸部１４０ａが設けられている。係合凸部１４０ａは突起１３３ａから第２方向Ｚの他方側に延びている。保持壁１３０ａが上記基板上に載置可能であり、係合凸部１４０ａが上記基板の係合孔に係合可能である。
【００３９】
ホルダー３００ａは、図４Ａ〜図５Ｂに示すように、絶縁樹脂で構成されたブロックである。ホルダー３００ａの外形は、ハウジングボディ１１０ａの内形よりも若干小さい。ホルダー３００ａは、ハウジングボディ１１０ａに嵌合し、当該ハウジングボディ１１０ａの後側空間Ｓ２に収容されている。ホルダー３００ａには、当該ホルダー３００ａを第１方向Ｙに貫通する複数の圧入孔３１０ａが設けられている。圧入孔３１０ａは、当該圧入孔３１０ａの中心が閉塞部１２０ａの接続孔１２１ａの中心に第１方向Ｙにおいて略一致するように複数列で千鳥配置されている。ホルダー３００ａの第３方向Ｘの両端部には、一対の係合凸部３２０ａが設けられている。係合凸部３２０ａは、ハウジングボディ１１０ａの係合孔１１３ａに係合されている。これにより、ホルダー３００ａがハウジングボディ１１０ａの後側空間Ｓ２に収容された状態が維持されている。
【００４０】
シール部４００ａは、図４Ａ〜図５Ｂに示すように、シリコンゴム等の弾性体である。シール部４００ａは、ハウジングボディ１１０ａの後側空間Ｓ２に収容されている。シール部４００ａの第１方向Ｙの寸法は、閉塞部１２０ａとホルダー３００ａとの間の第１方向Ｙの距離よりも若干大きい。シール部４００ａは、ハウジングボディ１１０ａ内で閉塞部１２０ａとホルダー３００ａとに挟持され、圧縮されている。このため、シール部４００ａは、閉塞部１２０ａとホルダー３００ａとに全面的に密着している。シール部４００ａは、複数の保持孔４１０ａと、第１突脈４２０ａと、二つの第２突脈４３０ａとを有している。シール部４００ａの外周面上には、環状の第２突脈４３０ａが全周にわたって設けられている。第２突脈４３０ａは互いに平行に配置されている。第２突脈４３０ａの第１方向Ｙの寸法は、保持孔４１０ａの外周面の第１方向Ｙの寸法よりも小さい。第２突脈４３０ａの外形（すなわち、シール部４００ａの外形）はハウジングボディ１１０ａの内形と略同じ又は若干大きい。よって、第２突脈４３０ａがハウジングボディ１１０ａの内周面に弾性的に密着している。
【００４１】
保持孔４１０ａは、シール部４００ａを第１方向Ｙに貫通した円形の孔である。保持孔４１０ａは、当該保持孔４１０ａの中心が閉塞部１２０ａの接続孔１２１ａの中心に第１方向Ｙにおいて略一致するように複数列で千鳥配置されている。保持孔４１０ａは閉塞部１２０ａの接続孔１２１ａ及びホルダー３００ａの圧入孔３１０ａに連通している。保持孔４１０ａの内周面上には、環状の第１突脈４２０ａが全周にわたって設けられている。第１突脈４２０ａの第１方向Ｙの寸法は、保持孔４１０ａの内周面の第１方向Ｙの寸法よりも小さい。第１突脈４２０ａの内径（すなわち、保持孔４１０ａの内径）は、シール部４００ａが閉塞部１２０ａとホルダー３００ａとの間で圧縮されることによって縮小され、閉塞部１２０ａの接続孔１２１ａの内形よりも小さくなっている。この縮小状態の第１突脈４２０ａの内径（すなわち、保持孔４１０ａの内径）が、相手側コネクタＣ２の接続部１２０ｂの外径よりも若干小さく設定されている。
【００４２】
位置決め板５００ａは、第３方向Ｘに延びた絶縁性を有する略矩形状の板である。位置決め板５００ａの第３方向Ｘの寸法は、ハウジング１００ａの保持壁１３０ａの下端部の間の寸法よりも若干小さい。位置決め板５００ａが保持壁１３０ａの下端部の間で保持されている。位置決め板５００ａには、当該位置決め板５００ａを第２方向Ｚに貫通する複数の位置決め孔５１０ａが設けられている。位置決め孔５１０ａは、当該位置決め孔５１０ａの中心位置が閉塞部１２０ａの接続孔１２１ａの中心位置に対応するように複数列で千鳥配置されている。位置決め板５００ａの位置決め孔５１０ａの第３方向Ｘの両端部には、一対の係合凹部５２０ａが設けられている。この係合凹部５２０ａに保持壁１３０ａの係合爪１３２ａが係合されている。これにより、位置決め板５００ａ保持壁１３０ａに保持された状態が維持されている。
【００４３】
コンタクト２００ａは、大きさが異なる３タイプのコンタクトを含んでいるが、ここでは区別せずに、コンタクト２００ａとして説明する。コンタクト２００ａは略Ｌ字状の金属板である。コンタクト２００ａは、保持部２１０ａと、突出部２２０ａと、折り曲げ部２３０ａと、テール部２４０ａとを有している。
【００４４】
保持部２１０ａは第１方向Ｙ及び第３方向Ｘに延びた板である。保持部２１０ａの第３方向Ｘの寸法がホルダー３００ａの圧入孔３１０ａの第３方向Ｘの寸法よりも若干大きい。保持部２１０ａが圧入孔３１０ａに圧入され、ホルダー３００ａに保持されている。保持部２１０ａが圧入孔３１０ａに保持されることによって、保持部２１０ａ及び突出部２２０ａが、保持孔４１０ａ及び接続孔１２１ａの位置に対応して複数列で千鳥配置されている。
【００４５】
突出部２２０ａは、保持部２１０ａの第１方向Ｙの一端に連続しており且つ第１方向Ｙの一方側に延びた板である。突出部２２０ａの第３方向Ｘの寸法は保持部２１０ａの第３方向Ｘの寸法よりも小さく且つシール部４００ａの保持孔４１０ａ及び閉塞部１２０ａの接続孔１２１ａの第３方向Ｘの寸法よりも小さい。突出部２２０ａの第２方向Ｚの寸法はシール部４００ａの保持孔４１０ａ及び閉塞部１２０ａの接続孔１２１ａの第２方向Ｚの寸法よりも小さい。突出部２２０ａはホルダー３００ａの圧入孔３１０ａから第１方向Ｙの一方側に突出し、保持孔４１０ａ及び接続孔１２１ａに挿通され且つ当該接続孔１２１ａから第１方向Ｙの一方側に突出している。突出部２２０ａの接続孔１２１ａから第１方向Ｙの一方側に突出した部分は、ハウジングボディ１１０ａの前側空間Ｓ１内に配置されている。
【００４６】
折り曲げ部２３０ａは、保持部２１０ａの第１方向Ｙの他端に連続した略Ｌ字状の板である。折り曲げ部２３０ａは、ホルダー３００ａの第１方向Ｙの他方側で且つハウジング１００ａの保持壁１３０ａの間に配置されている。折り曲げ部２３０ａは、コネクタＣ１が上記電子機器のケースに収容された状態でポッティング材によって埋設され得る。テール部２４０ａは、折り曲げ部２３０ａの第２方向Ｚの他端（下端）に連続し且つ第２方向Ｚの他方側に延びている。テール部２４０ａが位置決め板５００ａの位置決め孔５１０ａに挿入され、位置決め保持されている。テール部２４０ａの位置決め孔５１０ａから突出した部分が上記基板のスルーホール電極に接続可能となっている。
【００４７】
上述したコネクタＣ１の組立手順について以下の通り詳しく説明する。まず、コンタクト２００ａ及びホルダー３００ａを用意する。その後、コンタクト２００ａの突出部２２０ａ及び保持部２１０ａをホルダー３００ａの圧入孔３１０ａに挿入する。すると、突出部２２０ａが圧入孔３１０ａから第１方向Ｙの一方側に突出し、保持部２１０ａが圧入孔３１０ａに圧入され、保持される。このようにしてコンタクト２００ａがホルダー３００ａに保持される。その後、位置決め板５００ａを用意する。その後、コンタクト２００ａのテール部２４０ａを位置決め板５００ａの位置決め孔５１０ａに挿入させ、保持させる。これにより、コンタクト２００ａが位置決め板５００ａに位置決め保持され、コンタクト２００ａの保持部２１０ａ及び突出部２２０ａが複数列で千鳥配置される。
【００４８】
その一方で、ハウジング１００ａ及びシール部４００ａを用意する。その後、ハウジング１００ａのハウジングボディ１１０ａの後側空間Ｓ２にシール部４００ａを挿入し、閉塞部１２０ａに当接させる。このとき、シール部４００ａの第２突脈４３０ａがハウジングボディ１１０ａの内周面に弾性的に密着し、シール部４００ａの保持孔４１０ａが閉塞部１２０ａの接続孔１２１ａに連通する。
【００４９】
その後、ホルダー３００ａの係合凸部３２０ａをハウジング１００ａの保持壁１３０ａのガイド凹部１３１ａに挿入し、当該ガイド凹部１３１ａに沿って第１方向Ｙの一方側に移動させる。すると、係合凸部３２０ａがハウジングボディ１１０ａの係合孔１１３ａに係合され、ホルダー３００ａがハウジングボディ１１０ａに嵌合し、後側空間Ｓ２に収容される。このとき、ホルダー３００ａがシール部４００ａを第１方向Ｙの一方側に押圧する。これにより、シール部４００ａが閉塞部１２０ａとホルダー３００ａとの間で圧縮され、閉塞部１２０ａとホルダー３００ａとに密着する。シール部４００ａの保持孔４１０ａが縮径する。
【００５０】
ホルダー３００ａがハウジングボディ１１０ａに取り付けられるときに、位置決め板５００ａを第２方向Ｚの他方側に変位させ、位置決め板５００ａの係合凹部５２０ａに保持壁１３０ａの係合爪１３２ａを係合させる。これにより、位置決め板５００ａが保持壁１３０ａの間で保持される。以上のようにコネクタＣ１が組み立てられる。なお、コネクタＣ１は、ハウジング１００ａの係合凸部１４０ａを上記基板の係合孔に係合させ、保持壁１３０ａを当該基板上に載置する。これにより、コネクタＣ１が基板上に実装される。
【００５１】
次に、相手側コネクタＣ２について図６Ａ〜図８Ｂを参照しつつ説明する。相手側コネクタＣ２はコネクタＣ１に接続可能なプラグである。相手側コネクタＣ２は、ハウジング１００ｂと、複数のコンタクト２００ｂと、スペーサ３００ｂと、シール部４００ｂと、カバー５００ｂと、複数のケーブル６００ｂを備えている。以下、相手側コネクタＣ２の各構成要件について詳しく説明する。
【００５２】
ハウジング１００ｂは絶縁樹脂で構成されている。ハウジング１００ｂは、図６Ａ〜図８Ｂに示すように、ハウジングボディ１１０ｂと、複数の接続部１２０ｂとを有している。ハウジングボディ１１０ｂは、ブロック１１１ｂと、収容部１１２ｂと、外殻１１３ｂとを有している。ブロック１１１ｂは絶縁樹脂で構成されている。ブロック１１１ｂの外形はコネクタＣ１のハウジングボディ１１０ａの内形よりも小さい。ブロック１１１ｂは、ハウジングボディ１１０ａの前側空間Ｓ１に挿脱可能となっている。ブロック１１１ｂには、ブロック１１１ｂを第１方向Ｙに貫通した複数の収容孔１１１ｂ１が設けられている。収容孔１１１ｂ１は、コネクタＣ１の閉塞部１２０ａの接続孔１２１ａの位置に対応するように複数列で千鳥配置されている。
【００５３】
ブロック１１１ｂの第１方向Ｙの一端部の周縁部には、図６Ａ〜図８Ｂに示すように、筒状の収容部１１２ｂが連接されている。収容部１１２ｂは、ブロック１１１ｂの第１方向Ｙの一端部から第１方向Ｙの一方側に延びている。収容部１１２ｂの外形は、ブロック１１１ｂの外形よりも大きい。収容部１１２ｂの内部空間は、図７Ａ〜図７Ｃに示すように、ブロック１１１ｂの収容孔１１１ｂ１に連通している。収容部１１２ｂの第２方向Ｚの一端部（上端部）の内面には、図８Ｂに示すように、一対のガイド凸部１１２ｂ１が間隔をあけて設けられている。ガイド凸部１１２ｂ１は第１方向Ｙに延びている。また、収容部１１２ｂの第２方向Ｚの一端部（上端部）及び他端部（下端部）には、図８Ａ及び図８Ｂに示すように、係合孔１１２ｂ２が二つずつ間隔をあけて設けられている。
【００５４】
ブロック１１１ｂの第１方向Ｙの他端面には、図６Ａ〜図８Ｂに示すように、円筒状の複数の接続部１２０ｂが突設されている。接続部１２０ｂは、当該接続部１２０ｂの軸心位置がコネクタＣ１のハウジング１００ａの接続孔１２１ａの中心位置に対応するように複数列で千鳥配置されている。接続部１２０ｂは、ブロック１１１ｂの収容孔１１１ｂ１に連通している。接続部１２０ｂ内には、コネクタＣ１のコンタクト２００ａの突出部２２０ａが挿脱可能である。接続部１２０ｂの第１方向Ｙの他方側の部分の内周面には、Ｃ面１２１ｂ（chamfer面）が設けられている。Ｃ面１２１ｂの内径は、第１方向Ｙの他方側に漸次拡径している。Ｃ面１２１ｂによって、コネクタＣ１のコンタクト２００ａの突出部２２０ａが接続部１２０ｂ内に案内可能となっている。
【００５５】
接続部１２０ｂの外径は、ハウジング１００ａの接続孔１２１ａの内径よりも小さく且つコネクタＣ１のシール部４００ａの保持孔４１０ａの内径（すなわち、第１突脈４２０ａの内径）よりも若干大きい。よって、接続部１２０ｂは、コネクタＣ１のハウジング１００ａの接続孔１２１ａ及びシール部４００ａの保持孔４１０ａに挿脱可能である。接続部１２０ｂは、接続孔１２１ａ及び保持孔４１０ａに挿入された状態で、当該接続部１２０ｂの外周面が当該保持孔４１０ａの第１突脈４２０ａに弾性的に密着される。すなわち、接続部１２０ｂは、シール部４００ａの保持孔４１０ａの第１突脈４２０ａに弾性的に保持され得る。
【００５６】
外殻１１３ｂは、収容部１１２ｂの第１方向Ｙの他端部に連接されており且つ第１方向Ｙの他端側に延びた筒である。外殻１１３ｂの内形は、コネクタＣ１のハウジングボディ１１０ａの外形よりも若干大きい。外殻１１３ｂ内にはブロック１１１ｂが配置されている。外殻１１３ｂとブロック１１１ｂとの間には、筒状の間隙Ｇが形成されている。この間隙ＧにコネクタＣ１のハウジングボディ１１０ａが挿脱可能となっている。外殻１１３ｂの第２方向Ｚの一端部（上端部）には、係合孔１１３ｂ１が設けられている。係合孔１１３ｂ１にコネクタＣ１のハウジングボディ１１０ａの一対の係合爪１１１ａが係合可能となっている。外殻１１３ｂの第２方向Ｚの他端部（下端部）には、図６Ａ及び図６Ｂに示すように、一対のガイド凹部１１３ｂ２が設けられている。ガイド凹部１１３ｂ２に、コネクタＣ１のハウジングボディ１１０ａの一対のガイド凸部１１２ａが挿脱可能となっている。
【００５７】
スペーサ３００ｂは、図７Ａ〜図８Ｂに示すように、絶縁樹脂製のブロックである。スペーサ３００ｂの外形は、ハウジングボディ１１０ｂの収容部１１２ｂの内形より若干小さい。スペーサ３００ｂが、ハウジングボディ１１０ｂの収容部１１２ｂ内に収容され、当該ハウジングボディ１１０ｂのブロック１１１ｂに当接している。スペーサ３００ｂには、当該スペーサ３００ｂを第１方向Ｙに貫通した複数の貫通孔３１０ｂが設けられている。貫通孔３１０ｂは、ハウジングボディ１１０ｂの収容孔１１１ｂ１の位置に対応するように複数列で千鳥配置されている。貫通孔３１０ｂは収容孔１１１ｂ１に連通している。スペーサ３００ｂの第２方向Ｚの一端面（上面）には、一対のガイド凹部３２０ｂが間隔をあけて設けられている。ガイド凹部３２０ｂに収容部１１２ｂの一対のガイド凸部１１２ｂ１が挿入されている。
【００５８】
コンタクト２００ｂは、図７Ａ〜図８Ｂに示すように、金属板で構成されている。コンタクト２００ｂは、ブロック１１１ｂの収容孔１１１ｂ１及びスペーサ３００ｂの貫通孔３１０ｂに収容されている。コンタクト２００ｂは、第１接続部２１０ｂと、この第１接続部２１０ｂに連接された第２接続部２２０ｂとを有している。
【００５９】
第１接続部２１０ｂはブロック１１１ｂの収容孔１１１ｂ１に収容されている。第１接続部２１０ｂは、角筒部２１１ｂと、Ｕ字部２１２ｂと、蓋２１３ｂとを有している。角筒部２１１ｂ内には、接続部１２０ｂ内を通じてコネクタＣ１のコンタクト２００ａの突出部２２０ａが挿脱可能である。角筒部２１１ｂの第２方向Ｚの一端部（上端部）には、第２方向Ｚの他端側に凸の接続凸部２１１ｂ１が設けられている。角筒部２１１ｂの第２方向Ｚの他端部（下端部）には、クランプ片２１１ｂ２が設けられている。クランプ片２１１ｂ２は、第１方向Ｙの他方側に延びており且つ第２方向Ｚの一端側に傾斜している。角筒部２１１ｂ内に挿入された突出部２２０ａは、接続凸部２１１ｂ１とクランプ片２１１ｂ２とによって挟持される。
【００６０】
Ｕ字部２１２ｂは角筒部２１１ｂの上記上端部以外の部分（すなわち、角筒部２１１ｂの第２方向Ｚの他端部（下端部）、第３方向Ｘの一端部及び第３方向Ｘの他端部）の第１方向Ｙの一端に連接されている。Ｕ字部２１２ｂの第２方向Ｚの他端部（下端部）には、孔２１２ｂ１が設けられている。蓋２１３ｂは、角筒部２１１ｂの上記上端部の第１方向Ｙの一端に連接されている。蓋２１３ｂは、第１方向Ｙの一方側に延びており且つ第２方向Ｚの他方側に傾斜している。蓋２１３ｂの先端部は、Ｕ字部２１２ｂの孔２１２ｂ１に挿入されている。これにより、蓋２１３ｂがＵ字部２１２ｂ内部を区切っている。
【００６１】
第２接続部２２０ｂはスペーサ３００ｂの貫通孔３１０ｂに収容されている。第２接続部２２０ｂは、第１カシメ部２２１ｂと、第２カシメ部２２２ｂとを有している。第１、第２カシメ部２２１ｂ、２２２ｂは略矩形状の板であって、その第３方向Ｘの両端が互いに対向するように略Ｏ字状に湾曲している。
【００６２】
カバー５００ｂは、図７Ａ〜図８Ｂに示すように、絶縁樹脂で構成されたブロックである。ホルダー３００ｂの外形は、ハウジングボディ１１０ｂの収容部１１２ｂの内形よりも若干小さい。カバー５００ｂは、収容部１１２ｂに嵌合し、当該収容部１１２ｂ内に収容されている。カバー５００ｂには、複数の挿入孔５１０ｂが設けられている。挿入孔５１０ｂは、接続部１２０ｂの位置に対応するように複数列で千鳥配置されている。カバー５００ｂの第２方向Ｚの両端部には、係合凸部５２０ｂが二つずつ間隔をあけて設けられている。係合凸部５２０ｂが、収容部１１２ｂの係合孔１１２ｂ２に係合されている。これにより、カバー５００ｂが収容部１１２ｂに収容された状態が維持されている。
【００６３】
シール部４００ｂは、図７Ａ〜図８Ｂに示すように、シリコンゴム等の弾性体である。シール部４００ｂは収容部１１２ｂに収容されている。シール部４００ｂの第１方向Ｙの寸法は、収容部１１２ｂ内のスペーサ３００ｂとカバー５００ｂとの間の第１方向Ｙの距離よりも若干大きい。シール部４００ｂは、収容部１１２ｂ内でスペーサ３００ｂとカバー５００ｂとに挟持され、圧縮されている。このため、シール部４００ｂは、スペーサ３００ｂとカバー５００ｂとに全面的に密着している。シール部４００ｂは、複数の保持孔４１０ｂと、複数の第１突脈４２０ｂと、複数の第２突脈４３０ｂとを有している。シール部４００ｂの外周面上には、環状の第２突脈４３０ｂが全周にわたって設けられている。第２突脈４３０ｂは互いに平行に配置されている。第２突脈４３０ｂの第１方向Ｙの寸法は、保持孔４１０ｂの外周面の第１方向Ｙの寸法よりも小さい。第２突脈４３０ｂの外形（すなわち、シール部４００ｂの外形）は収容部１１２ｂの内形と略同じ又は若干大きい。よって、第２突脈４３０ｂが収容部１１２ｂの内周面に弾性的に当接している。
【００６４】
保持孔４１０ｂは、シール部４００ｂを第１方向Ｙに貫通した円形の孔である。保持孔４１０ｂは、接続部１２０ｂの位置に対応するように複数列で千鳥配置されている。保持孔４１０ｂはスペーサ３００ｂの貫通孔３１０ｂ及びカバー５００ｂの挿入孔５１０ｂに連通している。保持孔４１０ｂの内周面上には、環状の第１突脈４２０ｂが全周にわたって設けられている。第１突脈４２０ｂは互いに平行に配置されている。第１突脈４２０ｂの第１方向Ｙの寸法は、保持孔４１０ｂの内周面の第１方向Ｙの寸法よりも小さい。第１突脈４２０ｂの内径（すなわち、保持孔４１０ｂの内径）は、シール部４００ｂがスペーサ３００ｂとカバー５００ｂとの間で圧縮されることによって縮小されている。この縮小状態の第１突脈４２０ｂの内径（すなわち、保持孔４１０ｂの内径）が、ケーブル６００ｂの外径よりも若干小さく設定されている。
【００６５】
ケーブル６００ｂは、長さ方向の一端部がカバー５００ｂの挿入孔５１０ｂ、シール部４００ｂの保持孔４１０ｂ及びスペーサ３００ｂの貫通孔３１０ｂに挿入されている。ケーブル６００ｂの前記一端部の先端部から芯線が突出している。この芯線が貫通孔３１０ｂに収容されたコンタクト２００ｂの第２接続部２２０ｂの第１カシメ部２２１ｂに保持されている。これにより、ケーブル６００ｂがコンタクト２００ｂに接続されている。ケーブル６００ｂの前記一端部は、コンタクト２００ｂの第２接続部２２０ｂの第２カシメ部２２２ｂに部分的に保持されている。更に、ケーブル６００ｂの前記一端部は、シール部４００ｂの保持孔４１０ｂの第１突脈４２０ｂに弾性的に密着される。すなわち、ケーブル６００ｂの前記一端部は、保持孔４１０ｂの第１突脈４２０ｂに弾性的に保持されている。
【００６６】
上述した相手側コネクタＣ２の組立手順について以下の通り詳しく説明する。まず、ケーブル６００ｂ及びカバー５００ｂを用意する。その後、ケーブル６００ｂの前記一端部をカバー５００ｂの挿入孔５１０ｂに挿通させる。その後、シール部４００ｂを用意する。その後、ケーブル６００ｂの前記一端部をシール部４００ｂの保持孔４１０ｂに挿通させ、シール部４００ｂをカバー５００ｂに当接させる。このとき、ケーブル６００ｂの前記一端部が保持孔４１０ｂの第１突脈４２０ｂ上を摺動する。そして、保持孔４１０ｂの第１突脈４２０ｂがシール部４００ｂの前記一端部を弾性的に密着し、保持する。その後、コンタクト２００ｂを用意する。その後、ケーブル６００ｂの芯線をコンタクト２００ｂの第２接続部２２０ｂの第１カシメ部２２１ｂに、ケーブル６００ｂの前記一端部を第２カシメ部２２２ｂに保持させる。
【００６７】
その一方で、ハウジング１００ｂ及びスペーサ３００ｂを用意する。その後、ハウジング１００ｂの収容部１１２ｂにスペーサ３００ｂを嵌合させる。このとき、収容部１１２ｂのガイド凸部１１２ｂ１がスペーサ３００ｂのガイド凹部３２０ｂに挿入される。スペーサ３００ｂの貫通孔３１０ｂがハウジング１１０ｂの収容孔１１１ｂ１に連通する。
【００６８】
その後、シール部４００ｂ及びカバー５００ｂをハウジング１００ｂの収容部１１２ｂ内に嵌合させる。このとき、シール部４００ｂの第２突脈４３０ｂが収容部１１２ｂの内周面上を摺動する。シール部４００ｂ及びカバー５００ｂがハウジング１００ｂの収容部１１２ｂ内に嵌合した状態で、シール部４００ｂがカバー５００ｂとスペーサ３００ｂとの間で圧縮され、カバー５００ｂとスペーサ３００ｂとに密着する。シール部４００ｂの第２突脈４３０ｂが収容部１１２ｂの内周面に弾性的に密着する。シール部４００ｂの保持孔４１０ｂが縮径し、第１突脈４２０ｂがケーブル６００ｂに密着する。カバー５００ｂの係合凸部５２０ｂが収容部１１２ｂの係合孔１１２ｂ２に係合される。
【００６９】
このとき、コンタクト２００ｂの第１接続部２１０ｂがスペーサ３００ｂの貫通孔３１０ｂ及びハウジング１００ｂの収容孔１１１ｂ１に挿入される。すると、コンタクト２００ｂの第１接続部２１０ｂがハウジング１００ｂの収容孔１１１ｂ１に収容される。コンタクト２００ｂの第２接続部２２０ｂ及びケーブル６００ｂの芯線がスペーサ３００ｂの貫通孔３１０ｂに収容される。
【００７０】
以下、コネクタＣ１と相手側コネクタＣ２とを接続する手順について詳しく説明する。図１及び図２に示すように、相手側コネクタＣ２のブロック１１１ｂ及び接続部１２０ｂを、コネクタＣ１のハウジング１００ａの前側空間Ｓ１に挿入すると共に、コネクタＣ１のハウジング１００ａのハウジングボディ１１０ａを、相手側コネクタＣ２の間隙Ｇに挿入する。すると、コネクタＣ１のコンタクト２００ａの突出部２２０ａが、相手側コネクタＣ２の接続部２２０ｂ内及びコンタクト２００ｂの第１接続部２１０ｂ内に挿入され、当該第１接続部２１０ｂの接続凸部２１１ｂ１とクランプ片２１１ｂ２とに挟持される。これにより、コンタクト２００ａがコンタクト２００ｂに接続される。これと共に、相手側コネクタＣ２の接続部１２０ｂが、コネクタＣ１の閉塞部１２０ａの接続孔１２１ａ及びシール部４００ａの保持孔４１０ａに挿入される。このとき、接続部１２０ｂが保持孔４１０ａの第１突脈４２０ａ上を摺動する。接続部１２０ｂが保持孔４１０ａに挿入されると、シール部４００ａの保持孔４１０ａの第１突脈４２０ａが接続部１２０ｂの外周面に弾性的に密着する。これにより、シール部４００ａの保持孔４１０ａが接続部１２０ｂを弾性的に保持する。
【００７１】
以上のようなコネクタの接続構造Ｃは以下の技術的特徴を有している。第１に、コネクタＣ１のシール部４００ａの保持孔４１０ａが、相手側コネクタＣ２の接続部１２０ｂの外周面を個別に弾性的に保持している。よって、コンタクト２００ａおよびコンタクト２００ｂの数が増加したとしても、接続状態におけるコネクタＣ１と相手側コネクタＣ２との間の防水性及び防塵性が部分的に低下するのを抑制することができる。しかも、コネクタＣ１のシール部４００ａがハウジング１００ａの閉塞部１２０ａとホルダー３００ａとの間で圧縮されることによって、シール部４００ａの保持孔４１０ａの内径が縮径している。このため、保持孔４１０ａの接続部１２０ｂの外周面に対する密着性が向上するので、接続状態におけるコネクタＣ１と相手側コネクタＣ２との間の防水性及び防塵性を向上させることができる。
【００７２】
第２に、コネクタＣ１のシール部４００ａがハウジング１００ａの閉塞部１２０ａとホルダー３００ａとの間で圧縮されることによって、シール部４００ａが閉塞部１２０ａとホルダー３００ａとに密着すると共に、ハウジング１００ａのハウジングボディ１１０ｂの内周面に密着する。このため、コネクタＣ１の防水性及び防塵性を向上させることができる。
【００７３】
第３に、相手側コネクタＣ２のシール部４００ｂがスペーサ３００ｂとカバー５００ｂとの間で圧縮されることによって、シール部４００ｂがスペーサ３００ｂとカバー５００ｂとに密着し、ハウジング１００ｂの収容部１１２ｂの内周面に密着し且つシール部４００ｂの保持孔４１０ｂの内径が縮径して保持孔４１０ｂがケーブル６００ｂの外周面に密着する。このため、相手側コネクタＣ２の防水性及び防塵性を向上させることができる。
【００７４】
第４に、相手側コネクタＣ２の接続部１２０ｂが、コネクタＣ１のシール部４００ａの保持孔４１０ａ内に挿入されるときに、接続部１２０ｂが保持孔４１０ａの第１突脈４２０ａ上を摺動するようになっている。よって、接続部１２０ｂが保持孔４１０ａの内周面上を摺動する場合に比べて、接続部１２０ｂと保持孔４１０ａの内周面との摩擦係数が小さくなるので、接続部１２０ｂの保持孔４１０ａに対する挿入が容易になる。また、コネクタＣ１のシール部４００ａがハウジング１００ａのハウジングボディ１１０ａの後側空間Ｓ２に挿入されるとき、シール部４００ａの第２突脈４３０ａがハウジングボディ１１０ａの内周面上を摺動するようになっている。よって、シール部４００ａの外周面がハウジングボディ１１０ａの内周面上を摺動する場合に比べて、シール部４００ａとハウジングボディ１１０ａの内周面との摩擦係数が小さくなるので、シール部４００ａのハウジングボディ１１０ａに対する取り付けが容易になる。また、相手側コネクタＣ２のケーブル６００ｂがシール部４００ｂの保持孔４１０ｂに挿入されるとき、ケーブル６００ｂがシール部４００ｂの第１突脈４２０ｂ上を摺動するようになっている。よって、ケーブル６００ｂが保持孔４１０ｂの内周面上を摺動する場合に比べて、ケーブル６００ｂと保持孔４１０ｂの内周面との摩擦係数が小さくなるので、ケーブル６００ｂの保持孔４１０ｂに対する挿入が容易になる。また、相手側コネクタＣ２のシール部４００ｂがハウジング１００ｂの収容部１１２ｂに挿入されるとき、シール部４００ｂの第２突脈４３０ｂが収容部１１２ｂの内周面上を摺動するようになっている。よって、シール部４００ｂの外周面が収容部１１２ｂの内周面上を摺動する場合に比べて、シール部４００ｂと収容部１１２ｂの内周面との摩擦係数が小さくなるので、シール部４００ｂの収容部１１２ｂに対する取り付けが容易になる。
【００７５】
なお、上述したコネクタの接続構造Ｃ、コネクタＣ１及び相手側コネクタＣ２は、上記実施例に限定されるものではなく、特許請求の範囲の記載範囲において任意に設計変更することが可能である。以下、詳しく述べる。
【００７６】
上記実施例では、コネクタＣ１は、ハウジング１００ａと、複数のコンタクト２００ａと、ホルダー３００ａと、シール部４００ａと、位置決め板５００ａとを備えているとした。しかし、本発明のコネクタは、ハウジングと、絶縁性を有するホルダーと、シール部と、複数のコンタクトとを備えており、ハウジングが、筒状のハウジングボディと、前記ハウジングボディ内を塞ぐように当該ハウジングボディ内に設けられた閉塞部と、前記閉塞部を前記ハウジングボディの軸方向である第１方向に貫通した複数の接続孔とを有し、前記ホルダーが、前記ハウジングボディ内に収容されており、前記シール部が前記ハウジングボディ内に収容され且つ前記閉塞部と前記ホルダーとに挟持され、圧縮された弾性体であり、前記シール部は、当該シール部を前記第１方向に貫通し且つ前記閉塞部の前記接続孔に連通した保持孔を有しており、前記保持孔の内形が前記接続孔の内形よりも小さくなっており、前記コンタクトが前記ホルダーに保持された保持部および当該ホルダーから前記第１方向に突出した突出部を有し、この突出部が、前記ハウジングの前記接続孔及び前記シール部の前記保持孔に挿通されている限り任意に設計変更することが可能である。よって、保持壁１３０ａ、係合凸部１４０ａ及び位置決め板５００ａは省略可能である。
【００７７】
上記実施例では、コネクタＣ１のハウジング１００ａは、ハウジングボディ１１０ａと、閉塞部１２０ａと、一対の保持壁１３０ａと、一対の係合凸部１４０ａとを有しているとした。しかし、本発明のコネクタのハウジングは、筒状のハウジングボディと、前記ハウジングボディ内を塞ぐように当該ハウジングボディ内に設けられた閉塞部と、前記閉塞部を前記ハウジングボディの軸方向である第１方向に貫通した複数の接続孔とを有する限り任意に設計変更することが可能である。例えば、閉塞部は、ハウジングボディの第１方向の一端部内を塞ぐように、ハウジングボディに設けることが可能である。この場合、ハウジングボディの内部空間は後側空間のみとなる。
【００７８】
上記実施例では、コネクタＣ１の閉塞部１２０ａの接続孔１２１ａは、複数列で千鳥配置されているとした。しかし、本発明のコネクタの接続孔は、閉塞部をハウジングボディの軸方向である第１方向に貫通している限り任意に設計変更することが可能である。よって、接続孔は、一列で配置されていても良いし、複数列であり且つ各列の接続孔が同ピッチ間隔で配置されていても良いし、環状に間隔をあけて配置されていても良い。
【００７９】
上記実施例では、コネクタＣ１のホルダー３００ａは、絶縁樹脂で構成されたブロックであって、複数の圧入孔３１０ａ及び一対の係合凸部３２０ａを有しているとした。しかし、本発明のコネクタのホルダーは、絶縁性を有し、少なくともコンタクトの保持部を保持し得る限り任意に設計変更することが可能である。例えば、ホルダーは、コンタクトの保持部がインサート成形によって当該ホルダーに埋め込まれた構成とすることが可能である。また、ホルダーに設けられた圧入溝にコンタクトの保持部が圧入された構成とすることが可能である。
【００８０】
上記実施例では、コネクタＣ１のシール部４００ａは、複数の保持孔４１０ａと、第１突脈４２０ａと、二つの第２突脈４３０ａとを有しているとした。しかし、本発明のコネクタのシール部は、当該コネクタのハウジングボディ内に収容され且つ閉塞部とホルダーとに挟持され、圧縮された弾性体であって、当該シール部を前記第１方向に貫通し且つ前記閉塞部の接続孔に連通した保持孔を有し、前記保持孔の内形が前記接続孔の内形よりも小さい限り任意に設計変更することが可能である。すなわち、コネクタのシール部の第１及び／第２突脈は省略可能である。第１突脈が省略される場合、保持孔の内周面が相手側コネクタの接続部の外周面に密着可能となる。第２突脈が省略される場合、保持孔の外周面がコネクタのハウジングボディの内周面に密着する又は間隙を有して対向配置される。また、複数の第１突脈が保持孔の内周面に設けられた構成とすることが可能である。第２突脈は、シール部の外周面に一つ又は３つ以上設けられた構成とすることが可能である。
【００８１】
上記実施例では、コネクタＣ１のシール部４００ａの保持孔４１０ａが円形の孔であって、当該保持孔４１０ａの中心が閉塞部１２０ａの接続孔１２１ａの中心に第１方向Ｙにおいて略一致するように複数列で千鳥配置されているとした。しかし、本発明のコネクタのシール部の保持孔は、閉塞部の接続孔に連通し且つ当該保持孔の内形が前記接続孔の内形よりも小さい限り任意に設計変更することが可能である。よって、保持孔の位置は、接続孔の位置に応じて任意に設計変更することが可能である。また、上記実施例では、シール部４００ａがハウジング１００ａの閉塞部１２０ａとホルダー３００ａとの間で圧縮されることによって、シール部４００ａの保持孔４１０ａの内径が縮径しているとした。しかし、シール部がハウジングの閉塞部とホルダーとの間で圧縮されたとしても、保持孔が縮径しない構成とすることが可能である。
【００８２】
上記実施例では、コネクタＣ１のコンタクト２００ａは、保持部２１０ａと、突出部２２０ａと、折り曲げ部２３０ａと、テール部２４０ａとを有しているとした。しかし、本発明のコネクタのコンタクトは、ホルダーに保持された保持部と、当該ホルダーから第１方向に突出し且つハウジングの接続孔及びシール部の保持孔に挿通される突出部とを有している限り任意に設計変更することが可能である。例えば、コネクタのコンタクトは、突出部と、保持部と、ホルダーから第１方向の他方側又は第２方向の他方側に突出するテール部とを有する構成とすることが可能である。保持部は、直線状に限定されず、湾曲したり折れ曲がっていたりしても良い。テール部が第２方向の他方側に突出する場合には、保持部が略Ｌ字状に折り曲げられていると良い。また、本発明のコネクタのコンタクトは、ホルダー内部でケーブルが接続された基板又はケーブルに接続された構成とすることが可能である。すなわち、本発明のコネクタは、基板上に実装可能なソケットに限定されず、レセプタクル又はプラグに適応させることが可能である。
【００８３】
上記実施例では、コネクタＣ１のコンタクト２００ａの突出部２２０ａは、保持孔４１０ａ及び接続孔１２１ａに挿通され且つ当該接続孔１２１ａから第１方向Ｙの一方側に突出しているとした。しかし、本発明のコネクタのコンタクトの突出部は、ホルダーから第１方向に突出し且つハウジングの接続孔及びシール部の保持孔に挿通されている限り任意に設計変更することが可能である。よって、突出部は、接続孔から第１方向の一方側に突出しない構成とすることが可能である。すなわち、突出部は、ハウジングの接続孔及びシール部の保持孔内に配置されている構成とすることが可能である。
【００８４】
上記実施例では、相手側コネクタＣ２は、ハウジング１００ｂと、複数のコンタクト２００ｂと、スペーサ３００ｂと、シール部４００ｂと、カバー５００ｂと、複数のケーブル６００ｂを備えているとした。しかし、本発明の相手側コネクタは、ハウジングと、複数のコンタクトとを備えており、前記ハウジングは、ハウジングボディと、前記ハウジングボディから第１方向に延びた筒状の複数の接続部と、前記接続部内に連通するように前記ハウジングボディに設けられた複数の収容孔とを有し、前記コンタクトが前記収容孔内に収容されている限り任意に設計変更することが可能である。よって、スペーサ３００ｂ、シール部４００ａ及びカバー５００ｂは省略可能である。
【００８５】
上記実施例では、相手側コネクタＣ２のハウジングボディ１１０ｂは、ブロック１１１ｂと、収容部１１２ｂと、外殻１１３ｂとを有しているとした。しかし、本発明の相手側コネクタのハウジングボディは、接続部内に連通し且つ相手側コネクタのコンタクトを少なくとも部分的に収容可能な収容孔が設けられている限り任意に設計変更することが可能である。例えば、本発明の相手側コネクタのハウジングボディは、収容孔が設けられたブロックと、前記ブロックに連接された筒状であって、その内部空間が前記収容孔に連通した収容部とを有する構成とすることが可能である。本発明の相手側コネクタのブロックは、接続部内に連通した複数の収容孔が設けられている限り任意に設計変更することが可能である。収容孔はハウジングボディ又はブロックを貫通していなくても良い。また、本発明の相手側コネクタの収容部は、ブロックに連接された筒であって、その内部空間が前記収容孔に連通している限り任意に設計変更することが可能である。例えば、収容部の外形がブロックの外形と略同じにすることが可能であり、収容部の外形がブロックの外形よりも小さくすることも可能である。
【００８６】
上記実施例では、相手側コネクタＣ２の接続部１２０ｂは、当該接続部１２０ｂの軸心がコネクタＣ１のハウジング１００ａの接続孔１２１ａの中心に対応するように複数列で千鳥配置されているとした。しかし、本発明の相手側コネクタの接続部は、相手側コネクタのハウジングボディから第１方向に延びている限り任意に設計変更することが可能である。よって、接続部は上記コネクタのハウジングの接続孔の位置に応じて任意に配置することが可能である。上記実施例では、相手側コネクタＣ２の接続部１２０ｂは、接続部１２０ｂの外径がハウジング１００ａの接続孔１２１ａの内径よりも小さく且つコネクタＣ１のシール部４００ａの保持孔４１０ａの内径よりも若干大きいとした。しかし、本発明の相手側コネクタの接続部の外形は、コネクタのハウジングの接続孔及びシール部の保持孔に挿入され、当該保持孔に弾性的に保持され得るものであれば良い。
【００８７】
上記実施例では、相手側コネクタＣ２のコンタクト２００ｂは、第１接続部２１０ｂと、第１接続部２１０ｂに連接された第２接続部２２０ｂとを有しているとした。しかし、本発明の相手側コネクタのコンタクトは、ハウジングの収容孔に少なくとも部分的に収容され得る限り任意に設計変更することが可能である。例えば、相手側コネクタのコンタクトは、ハウジングの接続部から収容孔に挿入されたコネクタのコンタクトに接触可能となるように、ハウジングの収容孔に収容された金属板とすることが可能である。相手側コネクタのコンタクトは、当該相手側コネクタのハウジング又はブロックに保持され、ハウジングの収容孔に収容された構成とすることが可能である。また、上述の通り、コネクタのコンタクトの突出部がハウジングの接続孔から第１方向の一方側に突出しない構成である場合、相手側コネクタのコンタクトは、ハウジングの収容孔に収容されると共に、ハウジングの接続部内に配置される又は接続部から第１方向の他方側に突出する構成とすることが可能である。また、相手側コネクタのコンタクトは、ハウジングの収容孔にのみ収容された構成とすることが可能である。
【００８８】
上記実施例では、相手側コネクタＣ２のコンタクト２００ｂは、ケーブル６００ｂに接続されているとした。しかし、相手側コネクタのコンタクトは、ケーブルが接続された基板又は電子機器等の基板に接続可能な構成とすることが可能である。すなわち、本発明の相手側コネクタは、プラグに限定されず、ソケットやレセプタクルに適応させることが可能である。相手側コネクタのコンタクトが電子機器等の基板に接続される場合、ケーブルは省略される。
【００８９】
上記実施例では、相手側コネクタＣ２のスペーサ３００ｂは、ハウジングボディ１１０ｂの収容部１１２ｂ内に収容され、当該ハウジングボディ１１０ｂのブロック１１１ｂに当接しており且つスペーサ３００ｂを第１方向Ｙに貫通した複数の貫通孔３１０ｂを有するとした。しかし、本発明の相手側コネクタのスペーサは、ハウジングのブロックに当接するように当該ハウジングの収容部内に収容されている限り任意に設計変更することが可能である。例えば、相手側コネクタのコンタクトがスペーサを貫通する構成とすることが可能である。また、相手側コネクタのコンタクトが電子機器等の基板に実装される場合、スペーサの貫通孔は省略可能である。
【００９０】
上記実施例では、相手側コネクタＣ２のシール部４００ｂは、複数の保持孔４１０ｂと、複数の第１突脈４２０ｂと、複数の第２突脈４３０ｂとを有する弾性体であるとした。しかし、本発明の相手側コネクタのシール部は、ハウジングの収容部に収容され且つブロックに当接したスペーサと、ハウジングの収容部を塞ぐように当該収容部内に配置されたカバーとの間に挟持された弾性体、又は、ハウジングのブロックと、ハウジングの収容部を塞ぐように当該収容部内に配置されたカバーとの間に挟持された弾性体であるである限り任意に設計変更することが可能である。よって、相手側コネクタのシール部は、保持孔、第１突脈及び／第２突脈を省略可能である。第１突脈が省略される場合、保持孔の内周面がケーブルに密着可能となる。第２突脈が省略される場合、保持孔の外周面が相手側コネクタの収容部の内周面に密着する又は間隙を有して対向配置される。また、一つの第１突脈が保持孔の内周面に設けられた構成とすることが可能である。一つの第２突脈がシール部の外周面に設けられた構成とすることが可能である。
【００９１】
上記実施例では、相手側コネクタＣ２のシール部４００ｂの保持孔４１０ｂが円形の孔であって、接続部１２０ｂの位置に対応するように複数列で千鳥配置されており且つケーブル６００ｂを保持するとした。しかし、本発明の相手側コネクタのシール部の保持孔は、ハウジングの収容孔又はスペーサの貫通孔に連通し且つケーブル又はコンタクトを保持し得る限り任意に設計変更することが可能である。保持孔の位置は、ハウジングの収容孔又はスペーサの貫通孔の位置に応じて任意に設計変更することが可能である。
【００９２】
上記実施例では、相手側コネクタＣ２のシール部４００ｂがハウジング１００ａの閉塞部１２０ａとホルダー３００ａとの間で圧縮されることによって、シール部４００ａの保持孔４１０ａの内径が縮径しているとした。しかし、本発明の相手側コネクタのシール部がハウジングの閉塞部とホルダーとの間で圧縮されたとしても、当該シール部の保持孔が縮径しない構成とすることが可能である。
【００９３】
なお、上記実施例におけるコネクタＣ１及び相手側コネクタＣ２の各部を構成する素材、形状、寸法、数及び配置等はその一例を説明したものであって、同様の機能を実現し得る限り任意に設計変更することが可能である。なお、上記第１方向は、本発明のコネクタのハウジングボディの軸方向である限り任意に設計変更することが可能である。上記第２方向は第１方向に交差している限り任意に設計変更することが可能である。上記第３方向は、第１、第２方向に交差している限り任意に設計変更することが可能である。
【符号の説明】
【００９４】
Ｃ・・・・・・接続構造
Ｃ１・・・・・コネクタ
１００ａ・・・ハウジング
１１０ａ・・ハウジングボディ
１２０ａ・・閉塞部
１３０ａ・・保持壁
１４０ａ・・係合凸部
２００ａ・・・コンタクト
２１０ａ・・保持部
２２０ａ・・突出部
２３０ａ・・折り曲げ部
２４０ａ・・テール部
３００ａ・・・ホルダー
３１０ａ・・圧入孔
３２０ａ・・係合凸部
４００ａ・・・シール部
４１０ａ・・保持孔
４２０ａ・・第１突脈
４３０ａ・・第２突脈
５００ａ・・・位置決め板
５１０ａ・・位置決め孔
５２０ａ・・係合凹部
Ｃ２・・・・・相手側コネクタ
１００ｂ・・・ハウジング
１１０ｂ・・ハウジングボディ
１１１ｂ・ブロック
１１２ｂ・収容部
１１３ｂ・外殻
１２０ｂ・・接続部
２００ｂ・・・コンタクト
２１０ｂ・・第１接続部
２２０ｂ・・第２接続部
３００ｂ・・・スペーサ
３１０ｂ・・貫通孔
３２０ｂ・・係合凸部
４００ｂ・・・シール部
４１０ｂ・・保持孔
４２０ｂ・・第１突脈
４３０ｂ・・第２突脈
５００ｂ・・・カバー
５１０ｂ・・挿入孔
５２０ｂ・・係合凸部
６００ｂ・・・ケーブル
【図１】
2014127248.tif 000003
【図２】
2014127248.tif 000004
【図３Ａ】
2014127248.tif 000005
【図３Ｂ】
2014127248.tif 000006
【図３Ｃ】
2014127248.tif 000007
【図３Ｄ】
2014127248.tif 000008
【図４Ａ】
2014127248.tif 000009
【図４Ｂ】
2014127248.tif 000010
【図４Ｃ】
2014127248.tif 000011
【図５Ａ】
2014127248.tif 000012
【図５Ｂ】
2014127248.tif 000013
【図６Ａ】
2014127248.tif 000014
【図６Ｂ】
2014127248.tif 000015
【図６Ｃ】
2014127248.tif 000016
【図６Ｄ】
2014127248.tif 000017
【図７Ａ】
2014127248.tif 000018
【図７Ｂ】
2014127248.tif 000019
【図７Ｃ】
2014127248.tif 000020
【図８Ａ】
2014127248.tif 000021
【図８Ｂ】
2014127248.tif 000022